(57)【要約】  【課題】本体部に対して提示体の収納部の向きが裏返しになると、提示体が見難くなっていることを使用者に知覚させる。【解決手段】本体部２１の下面の凸状当接傾斜面１３と連結部１１の上面の凹状当接傾斜面１３とは、「Ｖ」字状で、しかも表側（前側）から裏側（後側）へ向かって徐々に下へ傾斜している。本体部２１に対して提示体６の収納部１及び連結部１１の向きが裏返しになると、連結部１１が本体部２１に対して大きく傾斜して表側に突出するように方向が変わるため、提示体６が見難くなっていることが知覚され易くなる。  【選択図】図３
2006313209.tif 000002
【特許請求の範囲】
【請求項１】
カードまたは証明書などの提示体を収納する収納部と、
この収納部に連結された連結部と、
この連結部にさらに連結される本体部と、
この本体部と連結部とを繋ぐ細長体であって、この細長体は本体部または連結部から引き出すことが可能であり、しかもこの引き出された細長体は本体部または連結部の中に引き戻されるように付勢される細長体とよりなり、
上記連結部と本体部とは、この引き戻されるように付勢される細長体によって互いに当接され、この連結部と本体部との当接面とは細長体の付勢方向に対して傾斜していて、連結部の本体部への当接方向が変化すると、連結部及び収納部の本体部に対する向きが変化することを特徴とする提示体収納具。
【請求項２】
上記連結部と本体部とは、互いに当接する面において、向きの異なる少なくとも２つずつの複数の傾斜面を有し、連結部と本体部との間の向きが変わるごとに、連結部の少なくとも２つの傾斜面と本体部の少なくとも２つの傾斜面とは互いに当接することを特徴とする請求項１記載の提示体収納具。
【請求項３】
上記連結部の上記当接面である複数または少なくとも２つの傾斜面の互いのなす傾斜角と、上記本体部の上記当接面である複数または少なくとも２つの傾斜面の互いのなす傾斜角とはほぼ同じであることを特徴とする請求項１または２記載の提示体収納具。
【請求項４】
上記連結部と本体部との当接面は、細長体の付勢方向に直交する２つの直交方向に対して傾斜していることを特徴とする請求項１、２または３記載の提示体収納具。
【請求項５】
上記連結部と本体部との当接面は1つまたは複数の平面からなっている、または1つまたは複数の湾曲面からなっていることを特徴とする請求項１、２、３または４記載の提示体収納具。
【請求項６】
上記連結部と本体部との当接面の中のほぼいちばん突出した箇所またはほぼいちばん凹んだ箇所から、細長体は引き出されることを特徴とする請求項１、２、３、４または５記載の提示体収納具。これにより、細長体の付勢によって、連結部と本体部との当接状態が安定する。
【請求項７】
上記細長体は、本体部の中に引き戻されるように付勢され、上記連結体に対しては固定されていることを特徴とする請求項１、２、３、４、５または６記載の提示体収納具。
【発明の詳細な説明】
【技術分野】
【０００１】
本発明は、提示体収納具に関し、特にカードまたは証明書などの提示体を収納する提示体収納具に関する。
【背景技術】
【０００２】
近年、防犯や不審者の入り込みを防止するため、企業や公共施設などで提示体収納具を身体に付けさせることが行われてきている。この提示体は、ＩＤカード、身分証明書などである。
【０００３】
しかしながえら、このような提示体収納具は、身につけて使用しているうちに、裏返ってしまっていることが多い。身につけている本人は、このように提示体収納具が裏返ってしまっていることを意外に気づいていないことが多い。
【０００４】
【特許文献１】特開平１０−１１１３８１号公報（図１）
【発明の開示】
【発明が解決しようとする課題】
【０００５】
本発明は、上述した課題を解決するためになされたものであり、本発明の目的は、提示体の向きが裏返えるなどの向きが変わっていて提示体が見難くなっていることを容易に知覚できるようにすることである。
【課題を解決するための手段】
【０００６】
上記目的を達成するために、本発明の提示体収納具は、  カードまたは証明書などの提示体を収納する収納部と、  この収納部に連結された連結部と、  この連結部にさらに連結される本体部と、  この本体部と連結部とを繋ぐ細長体であって、この細長体は本体部または連結部から引き出すことが可能であり、しかもこの引き出された細長体は本体部または連結部の中に引き戻されるように付勢される細長体とよりなり、  上記連結部と本体部とは、この引き戻されるように付勢される細長体によって互いに当接され、この連結部と本体部との当接面とは細長体の付勢方向に対して傾斜していて、連結部の本体部への当接方向が変化すると、連結部及び収納部の本体部に対する向きが変化するようにした。
【発明の効果】
【０００７】
これにより、本発明は、本体部に対して収納部の向きが裏返しになるなどして変化して提示体が見難くなると、連結部、収納部及び提示体が本体部に対して大きく傾斜して方向が変わるため、提示体が見難くなっていることが知覚され易くなる等の効果を奏する。また、施設などから外出するときに意図的に提示体を裏返して外出した場合にも、施設に戻るときには提示体を裏返したままであることに容易に気が付き易くなる等の効果も奏する。
【０００８】
後述するように、収納部１に対して連結部１１の向きは変更されないが、変更されるようにしてもよい。また、後述するように、本体部２１は裏返しになりにくいように、クリップ状の係止部３１が用いられたり、リング３２に対して首掛紐３５が捻れ難くなっていたりする。むろん、本体部２１は裏返しになり易くてもよい。
【発明を実施するための最良の形態】
【０００９】
（１）収納部１
図１及び図２は提示体収納具の表裏を示す。収納部１は方形状で透明な軟質プラスチックなどからなっていて、方形状の短辺には側面スリット２が形成されていて、名刺またはＩＤカードなどのカード、運転免許証、社員書、係員証、身分証明書等の証明書、定期券、入場券、金券カード、診察券、クレジットカード、キャッシュカード、子供・痴呆老人の連絡先券など種々のカード・証明書などの提示体６が差し込まれて、収納部１内に収納可能となっている。
【００１０】
この収納部１の裏面には、湾曲した２つの裏面スリット３、３が形成されている。この裏面スリット３、３には、連結部１１の下部から突出している板状の連結フック１２が挿通され、収納部１と連結部１１とが連結される。
【００１１】
（２）連結部１１
板状の連結フック１２は直方体状の連結部１１の表面（前面）下縁から延出され、収納部１の裏面スリット３を挿通して収納部１内に入り、「Ｕ」字状に湾曲し、もう一つの裏面スリット３を挿通して収納部１外に出て、上記連結部１１の裏面（後面）に当接している。
【００１２】
したがって、連結部１１の連結フック１２から、収納部１が容易に外れないようになっていて、収納部１が連結部１１に連結される。しかし、連結フック１２を連結部１１から引き離して、連結フック１２と連結部１１との隙間から収納部１を取り外すことができる。これにより提示体６が入っているまたは入っていない収納部１そのものを交換することができる。
【００１３】
連結部１１は、中が空洞の直方体状であり、下面は開口している。この連結部１１の上面は「Ｖ」字状に凹んで傾斜しており、しかもこの「Ｖ」字状の凹状当接傾斜面１３は、表側（前側）から裏側（後側）へ向かって徐々に下に向かって傾斜している。この凹状当接傾斜面１３は、「Ｖ」字状のため、２つの当接傾斜面からなっている。
【００１４】
（３）本体部２１
本体部２１は円盤板状であり、この本体部の円盤の周面の下面は「Ｖ」字状に突出して傾斜しており、しかもこの「Ｖ」字状の凸状当接傾斜面２２は、表側（前側）から裏側（後側）へ向かって徐々に下に向かって傾斜している。この凸状当接傾斜面２２は、「Ｖ」字状のため、２つの当接傾斜面からなっている。この凸状当接傾斜面２２は、上記連結部１１の凹状当接傾斜面１３と隙間なく当接・接合可能となっている。
【００１５】
この本体部２１内にはゼンマイバネ２３が巻回されて収納され、この巻回されたゼンマイバネ２３の先端には細長い紐（細長体）２４が結びつけられていて、この紐２４はゼンマイバネ２３の周囲をさらに巻回されている。
【００１６】
上記本体部２１の下面の凸状当接傾斜面２２の２つの当接傾斜面が出会ういちばん突出した尾根縁部分の中央には挿通穴２５が穿設されている。この挿通穴２５を上記紐２４の先端が挿通している。一方、上記連結部１１の上面の凹状当接傾斜面１３の２つの当接傾斜面が出会ういちばん凹んだ谷縁部分の中央には挿通穴１４が形成されている。
【００１７】
この挿通穴１４を上記紐２４の先端が挿通し、この先端は結び目が作れられて、挿通穴１４から紐２４の先端が抜けないようになっている。これにより、本体部２１と連結部１１とが連結される。
【００１８】
しかも、この紐２４は、上記ゼンマイバネ２３によって本体部２１内に引き戻されるように付勢され、これにより本体部２１と連結部１１とがくっつきあうように付勢され互いに当接する。
【００１９】
（４）提示体収納具の動作・作用・機能
図３及び図４は、上記提示体収納具の動作・作用・機能を示す。図１及び図２に示すように提示体６及び収納部１が表向きであれば、提示体６及び収納部１の面は垂直方向で前後方向（表裏方向）にも左右方向にも傾いていない。
【００２０】
これに対して、図３及び図４に示すように、連結部１１を本体部２１に対して若干引き出して１８０度回転させると、連結部１１は本体部1に対して真下に伸びる方向ではなく、斜め前方に伸びる方向に変化する。これは、連結部１１の２つの凹状当接傾斜面１３と本体部２１の２つの凸状当接傾斜面２２は、前側から後側（表側から裏側）に向かって、水平ではなく傾斜しているからである。
【００２１】
これにより、本体部２１に対して収納部１の向きが裏返しになるなどして変化して提示体６が見難くなると、連結部１１及び収納部１が本体部２１に対して大きく傾斜して方向が変わるため、提示体６が見難くなっていることが知覚され易くなる。これに対して、本件提示体収納具を身に着けている使用者は、提示体６が裏返しになっていることを容易に知ることができ、すぐに提示体６を表向きに直すことになる。
【００２２】
ここで、連結部１１と本体部２１との当接面である、凹状当接傾斜面１３と凸状当接傾斜面２２とは紐２４の付勢方向に対して傾斜していて、連結部１１の本体部２１への当接方向が変化すると、連結部１１及び収納部１の本体部２１に対する向きが変化することになる。
【００２３】
しかも、連結部１１と本体部２１との当接面（２つの凹状当接傾斜面１３と２つの凸状当接傾斜面２２）は、紐２４の付勢方向に直交し、しかもそれぞれが互いに直交もする、２つの直交方向に対しても傾斜している。この２つの直交方向は、本件提示体収納具の長手方向に対して前後方向（表裏方向）及び左右方向である。
【００２４】
したがって、上述のように、連結部１１の本体部２１への当接方向が変化すると、本体部２１に対する連結部１１及び収納部１の方向だけでなく連結部１１及び収納部１自身の向きも変えることができる。
【００２５】
また、上記連結部１１と本体部１との当接面（２つの凹状当接傾斜面１３と２つの凸状当接傾斜面２２）はそれぞれ２つの複数の面からなっている。しかも、この２つの当接傾斜面１３、１３と２２、２２とは、所定角度ごと例えば上記１８０度回転したとき、それぞれの当接相手が順次入れ替わり、どの／どちらの当接状態においても隙間なく密着する。
【００２６】
こうして、向きの異なる少なくとも２つずつの複数の当接傾斜面１３、１３、２２、２２によって、表向き（前向き）と裏向き（後向き）とで安定することになる。つまり、連結部１１の少なくとも２つの当接傾斜面１３、１３と本体部２１の少なくとも２つの当接傾斜面２２、２２とは、所定角度ごとに向きがかわるごと当接する。
【００２７】
したがって、連結部１１、収納部１及び提示体６は、提示体６が表向きのときと、１８０度回転して裏向きになったときの２つの方向で安定することになる。途中の右または左に１０度乃至１７０度または、例えば左右に９０度の方向では安定しない。
【００２８】
提示体６及び連結体１１の１つの向きとこの向きと所定角度回転した向きとはそれぞれ安定し、中間の中途半端な向きになることがなく、提示体及び収納部を所定角度間隔ごとの向きだけにすることができる。なぜなら、これ以外の中間の方向の状態では２つの当接傾斜面１３、１３と２２、２２とは密着できないからである。
【００２９】
この理由は、連結部１１の２つの凹状当接傾斜面１３、１３の互いのなす傾斜角と、本体部２１の２つの凸状当接傾斜面２２、２２の互いのなす傾斜角とがほぼ同じだからでもある。このほぼ同じとは両角度の差が数度の差に収まっていることをさす。これにより、連結部１１の少なくとも２つまたは複数の当接傾斜面１３、１３と本体部２１の少なくとも２つまたは複数の当接傾斜面２２、２２とが互いに当接し、連結部１１、収納部１及び提示体６は、本体部２１に対して、９０度横向きなどの中途半端な向きで安定することがなくなる。
【００３０】
そして、両当接傾斜面１３、１３、２２、２２が互いに当接する角度位置だけで、連結部１１、収納部１及び提示体６の向きを安定させることができ、収納部１及び提示体６が表向きか裏向きかのいずれか２つの明白な向きだけにすることができる。
【００３１】
さらに、上記連結部１１の凹状当接傾斜面１３、１３（当接面）のほぼいちばん凹んだ箇所と本体部２１の凸状当接傾斜面２２、２２（当接面）の中のほぼいちばん突出した箇所とから、紐２４（細長体）は引き出されているし、紐２４は引き戻されるように上記ゼンマイバネ２３によって付勢されている。
【００３２】
これにより、連結部１１の凹状当接傾斜面１３、１３のほぼいちばん凹んだ箇所と本体部２１の凸状当接傾斜面２２、２２の中のほぼいちばん突出した箇所とが必ず当接する。したがって、紐２４の付勢によって、連結部１１と本体部２１との当接状態が安定する。
【００３３】
（５）本体部２１の付属機構
上記本体部２１の裏面上方には、金属板状のクリップ型の係止部３１が設けられ、この係止部３１は、本体部２１の裏面上方から「Ｕ」字上に湾曲ターンして、本体部２１の裏面下方に弾性的に当接している。
【００３４】
この係止部３１の下縁を押し広げて、本体部２１と係止部３１との間に、ポケット、ベルトまたは襟などの縁部を挟みこむことができる。これにより、収納部１内の提示体６を見やすいようにしておくことができる。
【００３５】
この係止部３１の内側には金属製のリング３２が嵌め込まれ係止されている。このリング３２には環状の首掛紐３３が挿通され、この首掛紐３３は首などに掛けられる。これにより、収納部１内の提示体６を見やすいようにしておくことができる。
【００３６】
この首掛紐３３には環状の紐の両端に、この環状を解く連結具３４、３４が取り付けられ、これら連結具３４、３４は互いに連結されて首掛紐３３は環状とされる。この首掛紐３３の上記リング３２付近には固定具３５が取り付けられ、この固定具３５には、環状の首掛紐３３の互いに近い２箇所が固定され、首掛紐３３がリング３２に対してスライドしないようになっている。また、このリング３２に対して上記首掛紐３５が捻れ難くなっており、本体部２１は裏返しになりにくくなっている。
【００３７】
この首掛紐３３の上記リング３２の反対側には調節具３６が取り付けられている。この調節具３５内を環状の首掛紐３３の２箇所が挿通していて、この挿通箇所をスライドさせることにより、首掛紐３５の長さを調節できるようになっている。
【００３８】
（６）他の実施の形態
本発明は、上記実施例に限定されず、種々変更可能である。例えば、連結部１１の凹状当接傾斜面１３、１３と本体部２１の凸状当接傾斜面２２、２２の数は、２つではなく、図５（１）に示すように３つ、４つ、５つ、６つ、…でもよく、一方１３の数が他方２２の数より少なくても多くてもよい。これにより、種々の回転角度で連結部１１、収納部1及び提示体６を安定させることができし、連結部１１の本体部２１への傾斜方向が複数となり、連結部１１の本体部２１への傾斜に偏りがなくなる。
【００３９】
この場合でも、連結部１１の上記当接面である複数または少なくとも２つの傾斜面１３の互いのなす傾斜角と、本体部２１の上記当接面である複数または少なくとも２つの傾斜面２２の互いのなす傾斜角とはほぼ同じとなる。また、連結部１１と本体部２１との当接面は、紐２４の付勢方向に直交する２つの直交方向に対して傾斜していることにもなる。
【００４０】
さらに、連結部１１の凹状当接傾斜面１３、１３と本体部２１の凸状当接傾斜面２２、２２の数は、２つではなく、図５（２）に示すように、1つでもよい。これにより、連結部１１及び本体部２１の形状が単純になり製造を容易にすることができる。この1つの場合でも、連結部１１、収納部1及び提示体６の方向と向き自体を変えることができるが、特定の回転角度で安定することはない。
【００４１】
またさらに、連結部１１の凹状当接傾斜面１３、１３と本体部２１の凸状当接傾斜面２２、２２の形状は、平面ではなく、図６（１）（２）に示すように1つまたは複数の湾曲面としてもよい。この場合でも、連結部１１、収納部1及び提示体６の方向と向き自体を変えることができるし、特定の回転角度で安定させることもできる。
【００４２】
さらにまた、連結部１１の凹状当接傾斜面１３、１３は逆に突出し、本体部２１の凸状当接傾斜面２２、２２は、逆に凹んでいてもよい。この場合でも、同様に、連結部１１、収納部1及び提示体６の方向と向き自体を変えることができるし、特定の回転角度で安定させることもできる。
【００４３】
またさらに、連結部１１と本体部２１との当接傾斜面１３と２２の中のほぼいちばん突出した箇所またはほぼいちばん凹んだ箇所から、紐２４（細長体）は引き出されているが、このいちばん突出した箇所またはほぼいちばん凹んだ箇所からずれた位置から、紐２４（細長体）は引き出されていてもよい。
【００４４】
さらにまた、紐２４（細長体）は、本体部２１だけでなく、連結部１１の中にも引き戻されるように付勢されてもよく、さらには、連結部１１の中に引き戻されるように付勢され、本体部２１に対しては固定されていてもよい。この場合、連結部１１内に上記ゼンマイバネ２３が内蔵されることになる。
【００４５】
このほか、本発明の提示体収納具は、提示体６、収納部１及び連結部１１を本体部２１に対して向きを変える必要性のある状況において広く使用できる。例えば、提示体６を装着者の正面からではなく、上方、下方（垂直方向）、左方または右方（側方／水平方向）（斜め方向も含む）の方から見る必要があるときなどである。
【００４６】
（５）他の発明の効果
［１］カードまたは証明書などの提示体を収納する収納部と、  この収納部に連結された連結部と、  この連結部にさらに連結される本体部と、  この本体部と連結部とを繋ぐ細長体であって、この細長体は本体部または連結部から引き出すことが可能であり、しかもこの引き出された細長体は本体部または連結部の中に引き戻されるように付勢される細長体とよりなり、  上記連結部と本体部とは、この引き戻されるように付勢される細長体によって互いに当接され、この連結部と本体部との当接面とは細長体の付勢方向に対して傾斜していて、連結部の本体部への当接方向が変化すると、連結部及び収納部の本体部に対する向きが変化することを特徴とする提示体収納具。
【００４７】
これにより、本体部に対して収納部の向きが裏返しになるなどして変化して提示体が見難くなると、連結部及び収納部が本体部に対して大きく傾斜して方向が変わるため、提示体が見難くなっていることが知覚され易くなる。
【００４８】
［２］上記連結部と本体部とは、互いに当接する面において、向きの異なる少なくとも２つずつの複数の傾斜面を有し、連結部と本体部との間の向きが変わるごとに、連結部の少なくとも２つの傾斜面と本体部の少なくとも２つの傾斜面とは互いに当接することを特徴とする請求項１記載の提示体収納具。
【００４９】
これにより、１つの向きとこの向きと所定角度回転した向きとの複数の向きで安定し、中間の中途半端な向きで安定することがなく、提示体及び収納部を所定角度間隔ごとの向きだけにすることができる。
【００５０】
[３]上記連結部の上記当接面である複数または少なくとも２つの傾斜面の互いのなす傾斜角と、上記本体部の上記当接面である複数または少なくとも２つの傾斜面の互いのなす傾斜角とはほぼ同じであることを特徴とする請求項１または２記載の提示体収納具。
【００５１】
これにより、連結部の少なくとも２つまたは複数の傾斜面と本体部の少なくとも２つまたは複数の傾斜面とが互いに当接し、連結部、収納部及び提示体は、本体部に対して、中途半端な向きで安定することがなく、両傾斜面が互いに当接する角度位置だけで、連結部、収納部及び提示体の向きを安定させることができる。
【００５２】
[４]上記連結部と本体部との当接面は、細長体の付勢方向に直交する２つの直交方向に対して傾斜していることを特徴とする請求項１、２または３記載の提示体収納具。これにより、連結部の本体部への当接方向が変化すると、本体部に対する連結部及び収納部の方向だけでなく連結部及び収納部自身の向きも変えることができる。
【００５３】
[５]上記連結部と本体部との当接面は1つまたは複数の平面からなっている、または1つまたは複数の湾曲面からなっていることを特徴とする請求項１、２、３または４記載の提示体収納具。これにより、連結部の本体部への傾斜方向が複数となり、連結部の本体部への傾斜に偏りがなくなる。
【００５４】
[６]上記連結部と本体部との当接面の中のほぼいちばん突出した箇所またはほぼいちばん凹んだ箇所から、細長体は引き出されることを特徴とする請求項１、２、３、４または５記載の提示体収納具。これにより、細長体の付勢によって、連結部と本体部との当接状態が安定する。
【００５５】
[７]上記細長体は、本体部の中に引き戻されるように付勢され、上記連結体に対しては固定されていることを特徴とする請求項１、２、３、４、５または６記載の提示体収納具。これにより、細長体を付勢する機構は本体部の方だけに設ければよく、また細長体の同じ箇所が本体部から出没されるのでこの箇所のみを強くしておけばよい。
【００５６】
［８］上記本体部には首から掛ける首掛体またはポケット、ベルトまたは襟などの縁部に係止するための係止部が設けられていることを特徴とする請求項１、２、３、４、５、６または７記載の提示体収納具。これにより、収納部内の提示体を見やすいようにしておくことができる。
【産業上の利用可能性】
【００５７】
本体部に対して提示体の収納部の向きが裏返しになると、提示体が見難くなっていることを使用者に知覚させる。本体部２１の下面の凸状当接傾斜面１３と連結部１１の上面の凹状当接傾斜面１３とは、「Ｖ」字状で、しかも表側（前側）から裏側（後側）へ向かって徐々に下へ傾斜している。本体部２１に対して提示体６の収納部１及び連結部１１の向きが裏返しになると、連結部１１が本体部２１に対して大きく傾斜して表側に突出するように方向が変わるため、提示体６が見難くなっていることが知覚され易くなる。
【図面の簡単な説明】
【００５８】
【図１】この発明の一実施の形態に係る提示体収納具の表面を示す。
【図２】図１の提示体収納具の裏面を示す。
【図３】連結部１１を本体部２１に対して１８０度回転させて、連結部１１、収納部1及び提示体６を本体部２１に対して方向と向きとを変えた状態を示す斜視図である。
【図４】連結部１１を本体部２１に対して１８０度回転させて、連結部１１、収納部1及び提示体６を本体部２１に対して方向と向きとを変えた状態を示す側面図である。
【図５】凹状当接傾斜面１３または凸状当接傾斜面２２などの数及び形状を変えた別の実施例を示す。
【図６】凹状当接傾斜面１３または凸状当接傾斜面２２などの形状を湾曲に変えた別の実施例を示す。
【符号の説明】
【００５９】
１…収納部、２…側面スリット、
３…裏面スリット、６…提示体、
１１…連結部、１２…連結フック、
１３…凹状当接傾斜面、１４…挿通穴、
２１…本体部、２２…凸状当接傾斜面、
２３…ゼンマイバネ、２４…紐（細長体）、
２５…挿通穴、３１…係止部、
３２…リング、３３…首掛紐、
３４…連結具、３５…固定具、３６…調節具。
【図１】
2006313209.tif 000003
【図２】
2006313209.tif 000004
【図３】
2006313209.tif 000005
【図４】
2006313209.tif 000006
【図５】
2006313209.tif 000007
【図６】
2006313209.tif 000008